(57)【要約】      （修正有）【課題】良好な防水効果を達成し、浸水による損傷から機器を保護する電子測距装置を提供する。【解決手段】電子測距装置は、測距ユニットと、測距ユニットの両側に設置された一対の支持アームと、を備え、測距ユニットは水平方向の横軸によって支持アームに接続され、横軸に沿って回転し、支持アームのハウジングの測距ユニットに向いた面に取付孔が設けられ、横軸は取付孔に延在され、ハウジング内の軸受に接続され、軸受は取付孔を通してハウジングから突出し、支持アームと測距ユニットとの間に横軸の一周を囲む隆起台が形成される。さらに、隆起台に取り付けられた第１の側壁と、測距ユニットの支持アームに向いた平滑の側面に緊密に接触させる第２の側壁と、を有するＶ字型シールリングと、取付孔と軸受との間の隙間を密閉するための、取付孔と軸受との間に設けられるＯ字型シールリングと、を備える。【選択図】図１
0003232726.tif 000002
【実用新案登録請求の範囲】
【請求項１】
電子測距装置であり、測距ユニットと、前記測距ユニットの両側に設置された一対の支持アームと、を備え、前記測距ユニットは水平方向の横軸によって前記支持アームに接続され、前記横軸に沿って回転し、前記支持アームのハウジングの前記測距ユニットに向いた面に取付孔が設けられ、前記横軸は前記取付孔に延在され、前記ハウジング内の軸受に接続されており、
前記軸受は、前記取付孔を通して前記ハウジングから突出され、前記支持アームと前記測距ユニットとの間に前記横軸の一周を囲む隆起台が形成され、
前記電子測距装置は、
前記隆起台に取り付けられた第１の側壁と、前記測距ユニットの前記支持アームに向いた平滑の側面に緊密に接触させる第２の側壁と、を有するＶ字型シールリングと、
前記取付孔と前記軸受との間の隙間を密閉するための、前記取付孔と前記軸受との間に設けられるＯ字型シールリングと、をさらに備え、
前記ハウジングと、前記Ｏ字型シールリングと、前記軸受と、前記Ｖ字型シールリングと、前記測距ユニットと、によって密閉構造が形成され、前記横軸を前記密閉構造内に密閉することを特徴とする電子測距装置。
【請求項２】
前記軸受の断面はＬ字型であり、前記Ｌ字型の折り曲げ部は前記取付孔の縁部に係合されていることを特徴とする請求項１に記載の電子測距装置。
【請求項３】
前記第１の側壁は、台形の断面である取付部を形成するよう側面方向が厚く、前記隆起台の縁部は内側に凹んで前記取付部に適合する溝が形成され、前記取付部は前記溝に取付られることを特徴とする請求項２に記載の電子測距装置。
【請求項４】
前記測距ユニットに対物レンズと粗放照準器とが設けられていることを特徴とする請求項１〜３のいずれか一項に記載の電子測距装置。
【請求項５】
前記支持アームの底部は前記電子測距装置のホストに接続され、前記ホストは水平に載置されたターンテーブルに取り付けられ、前記ターンテーブルは縦軸に沿って回転することを特徴とする請求項１〜３のいずれか一項に記載の電子測距装置。
【請求項６】
前記横軸に前記測距ユニットと前記ホストとを接続する電気回路が設けられていることを特徴とする請求項５に記載の電子測距装置。
【請求項７】
前記測距ユニットは左右対称であり、前記測距ユニットの両側にそれぞれ前記密閉構造が設けられていることを特徴とする請求項１〜３のいずれか一項に記載の電子測距装置。
【請求項８】
前記Ｏ字型シールリングと前記Ｖ字型シールリングとは、ゴム材質であることを特徴とする請求項１〜３のいずれか一項に記載の電子測距装置。
【考案の詳細な説明】
【技術分野】
【０００１】
本考案は、光学機器の技術分野に属し、特に電子測距装置に関する。
【背景技術】
【０００２】
電子測距装置は、一般的な測量装置であり、トータルステーション電子測距装置（電子トータルステーション）と呼ばれている。水平角、鉛直角、距離（斜距離、水平距離）、高度差の測量機能を一体化にする測量装置であり、その測定局のすべての測定作業を独立して完成させるので、トータルステーションとも呼ばれている。電子測距装置は、広く大規模な地上の建物や地下トンネルの施工などの精密工学測量や建設変形監視分野で使用され、その作業場所は基本的に屋外である。雨や雪などの悪天候条件で、機器が正常作業でき、損傷しないことを確実にするためには、電子測距装置は常に防水機能が必要だが、柔軟な回転可能の構造を可能にするための防水措置は業界における難しい課題である。
【０００３】
図1に示すように、図１は従来技術における電子測距装置の部分断面図である。回転可能の測距ヘッド１０１とホルダーとの接続部位の断面を示し、測距ヘッド１０１は連結軸１０３によってホルダーに接続され、連結軸１０３は軸受１０４によってホルダーに接続され、測距ヘッド１０１は連結軸１０３を囲んで回転することができ、測定パラメータの変更を実現する。前記測距ヘッド１０１の両側に接続構造が設けられることができ、図1に接続構造の片側のみを示す。電子測距装置の防水を実現するため、距測ヘッド１０１とホルダーハウジング１０２との間の隙間を密閉するのはキーポイントであり、ここで、Ｖ字型ゴムリング１０５を用いて密閉することを実現し、Ｖ字型ゴムリング１０５の一側を測距ヘッド１０１の溝に固定され、他側はホルダーハウジング１０２に密接に接触させ、外部の水がＶ字型ゴムリング１０５の内側に浸入することを防止する。
【考案の概要】
【考案が解決しようとする課題】
【０００４】
しかし、従来技術の電子測距装置の防水構造は依然として問題があり、即ち、Ｖ字型ゴムリング１０５とホルダーハウジング１０２との間は完全な密閉を保証するものではなく、測距ヘッド１０１とホルダーとは別の部材であり、組み立てを容易にするために、測距ヘッド１０１を取付するため、ホルダーハウジング１０２の内側に取付溝が設けられ、Ｖ字型ゴムリング１０５とホルダーハウジング１０２との間に必然的に隙間を生じ、水漏れが発生する。
【課題を解決するための手段】
【０００５】
上記の課題を解決するために、より良い防水の効果を有し、新しいタイプの電子測距装置が必要である。
【０００６】
上記の技術的欠陥を克服するために、本考案の目的は、電子測距装置の良好な防水効果を実現することである。
【０００７】
本考案が開示された電子測距装置は、測距ユニットと、前記測距ユニットの両側に設置された一対の支持アームと、を備え、前記測距ユニットは水平方向の横軸によって前記支持アームに接続され、前記横軸に沿って回転し、前記支持アームのハウジングの前記測距ユニットに向いた面に取付孔が設けられ、前記横軸は前記取付孔に延在され、前記ハウジング内の軸受に接続されており、前記軸受は、前記取付孔を通して前記ハウジングから突出され、前記支持アームと前記測距ユニットとの間に前記横軸の一周を囲む隆起台が形成される。前記電子測距装置は、前記隆起台に取り付けられた第１の側壁と、前記測距ユニットの前記支持アームに向いた平滑の側面に緊密に接触させる第２の側壁と、を有するＶ字型シールリングと、前記取付孔と前記軸受との間の隙間を密閉するための、前記取付孔と前記軸受との間に設けられるＯ字型シールリングと、をさらに備える。前記ハウジングと、前記Ｏ字型シールリングと、前記軸受と、前記Ｖ字型シールリングと、前記測距ユニットと、によって密閉構造が形成され、前記横軸を前記密閉構造内に密閉する。
【０００８】
好ましくは、前記軸受の断面はＬ字型であり、前記Ｌ字型の折り曲げ部は前記取付孔の縁部に係合されている。
【０００９】
好ましくは、前記第１の側壁は、台形の断面である取付部を形成するよう側面方向が厚く、前記隆起台の縁部は内側に凹んで前記取付部に適合する溝が形成され、前記取付部は前記溝に取付られる。
【００１０】
好ましくは、前記測距ユニットに対物レンズと粗放照準器とが設けられている。
【００１１】
好ましくは、前記支持アームの底部は前記電子測距装置のホストに接続され、前記ホストは水平に載置されたターンテーブルに取り付けられ、前記ターンテーブルは縦軸に沿って回転する。
【００１２】
好ましくは、前記横軸に前記測距ユニットと前記ホストとを接続する電気回路が設けられている。
【００１３】
好ましくは、前記測距ユニットは左右対称であり、前記測距ユニットの両側にそれぞれ前記密閉構造が設けられている。
【００１４】
前記Ｏ字型シールリングと前記Ｖ字型シールリングとは、ゴム材質である。
【考案の効果】
【００１５】
上記の技術的解決手段を用いて、従来技術と比較して、以下の利点を有する。
【００１６】
１．優れた防水効果を達成し、浸水による損傷から機器を保護する。
【００１７】
２．電子測距装置の使用寿命を延長する。
【図面の簡単な説明】
【００１８】
【図１】従来技術の電子測距装置の一部の構造の概略断面図である。
【図２】本考案に係る電子測距装置の１つの好ましい実施形態の構造の概略正面図である。
【図３】本考案に係る電子測距装置の１つの好ましい実施形態の一部構造の概略断面図である。
【考案を実施するための形態】
【００１９】
本考案の好ましい実施形態
次に、図面と具体的な実施例を併せて、本発明の利点を説明する。
【００２０】
図２に示すように、本考案に係る電子測距装置の１つの好ましい実施形態の構造の概略正面図である。前記電子測距装置は、ターンテーブル２１１と、ホスト２１２と、支持アーム２０２と、測距ユニット２０１と、を備える。
【００２１】
ターンテーブル２１１
前記ターンテーブル２１１は、縦軸に沿って回転し、水平に配置するよう前記電子測距装置の底部に設けられた。前記ターンテーブル２１１は前記電子測距装置の全体を支持し、前記ターンテーブル２１１の水平面上の異なる位置を検出することを達成するために、前記ターンテーブル２１１に取り付けられた部材は前記ターンテーブル２１１と共に回動することができる。
【００２２】
ホスト２１２
前記ホスト２１２は、前記ターンテーブル２１１に取り付けられ、各種の信号を処理し、且つ計算し、検出されたパラメータを得られるに用いられる。前記ホスト２１２には、ディスプレイと入力ボタンとが設けられ、外部へ検出結果を出力し、インタフェースを設置し、さらに外部から入力された様々なパラメータを受信し、姿勢と動作モードとを調整することができる。
【００２３】
支持アーム２０２
前記支持アーム２０２は、一対であり、その底部は前記ホスト２１２に接続され、前記支持アーム２０２は後述の前記測距ユニット２０１を支持するため、前記測距ユニット２０１の両側に設けられる。前記支持アーム２０２の頂部は、横梁によって連結され、前記ホスト２１２と共に前記支持アーム２０２を固定する一方で、人にとって把握し易く、前記電子測距装置を持ち運ぶことができる。
【００２４】
測距ユニット２０１
前記測距ユニット２０１は水平方向の横軸２０３によって前記支持アーム２０２に接続され、前記横軸２０３に沿って回転する。前記測距ユニット２０１には光学測距と照準のための対物レンズ２０９と粗放照準器２１０が設けられる。前記横軸２０３に、前記測距ユニット２０１と前記ホスト２１２とを接続する電気回路が設けられる。前記測距ユニット２０１は左右対称構造であってもよく、前記支持アーム202との間の密閉を達成することによって、外部の水が横軸２０３内に浸水して電気的な故障となることを防ぐために、前記測距ユニット２０１の両側にそれぞれ密閉構造が設けられている。
【００２５】
図３に示すように、本考案に係る電子測距装置の１つの好ましい実施形態の一部構造の概略断面図であり、前記測距ユニット２０１と支持アーム２０２との間の接続構造を重点に示す。前記支持アーム２０２のハウジング２０４の前記測距ユニット２０１に向いた側に取付孔が設けられており、前記ハウジング２０４は上下の２つの部分に分割され、その二つの部分の間に取付孔が配置される。
【００２６】
前記横軸２０３は、前記取付孔に延在され、前記ハウジング２０４内に取り付けた軸受２０５に接続され、前記軸受２０５は前記取付孔を通して前記ハウジング２０４から突出され、前記軸受２０５の断面はL字型であり、前記L字型の折り曲げ部は前記取付孔の縁部に係合され、前記軸受２０５をストップし固定することを達成する。図から分かるように、前記ハウジング２０４の左側は内側であり、右側は外側であり、前記軸受２０５は、前記ハウジング２０４の内側から外側に突出することは、従来技術との相違点であり、図１の軸受１０４は完全に前記ホルダーハウジング１０２の内側に位置され、 本実施形態の軸受２０５は前記ハウジング２０４の外側に向いて延在して、前記支持アーム２０２と前記測距ユニット２０１との間に前記横軸２０３の一周を囲む隆起台２０６が形成される。
【００２７】
前記測距ユニット２０１と支持アーム２０２との間の密閉を達成するため、前記電子測距装置は、Ｖ字型シールリング２０７と、Ｏ字型シールリング２０８と、をさらに備える。
【００２８】
Ｖ字型シールリング２０７
前記Ｖ字型のシールリング２０７は、前記隆起台２０６に取り付けられた第１の側壁２０７１と、前記測距ユニット２０１の前記支持アーム２０２に向いた平滑な側面に緊密に接触された第２の側壁２０７２と、を備える。本考案と従来技術との最大な相違点は、Ｖ字型シールリング２０７が支持アーム２０２の片側の隆起台２０６に取り付けられ、前記第２の側壁２０７２は前記測距ユニット２０１の側面に緊密に接触することによって、前記測距ユニット２０１の側面が溝なし、平滑な接触面を形成することができ、良好な密閉効果を達成する。
【００２９】
Ｏ字型シールリング２０８
前記Ｏ字型シールリング２０８は、前記取付孔と前記軸受２０５との間の隙間を密閉するため、前記取付孔と前記軸受２０５との間に設けられる。前記Ｖ字型シールリング２０７は、前記ハウジング２０４の側面と直接接触せずに前記隆起台２０６に取り付けられるので、前記取付孔と前記軸受２０５との間の隙間を他の構造によって密閉する必要があるため、Ｏ字型シールリング２０８が用いられる。
【００３０】
前記ハウジング２０４と、前記Ｏ字型シールリング２０８と、前記軸受２０５と、前記Ｖ字型シールリング２０７と、前記測距ユニット２０１と、によって密閉構造が形成され、前記横軸２０３を前記密閉構造内に密封させ、外部の水が前記横軸２０３に接触することを防止し、内部の電気回路を水との接触による短絡の損傷がないよう確保し、前記電子測距装置の使用寿命を延長することができる。
【００３１】
さらに、前記第1の側壁２０７１は台形又は長方形の断面である取付部を形成するよう側面方向が厚い。前記隆起台２０６の縁部は内側に凹んで前記取付部に適合する溝が形成されている。前記取付部は前記溝に取り付けられる。本改善実施例は、選択されたＶ字型シールリング２０７は、標準的なＶ字型ではなく、厚い片側と薄い片側とがある非対称の断面であり、厚い片側は前記第1の側壁２０７１であり、固定取付に用いられる。薄い片側は前記第２の側壁２０７２であり、一定の弾性を有するので、密閉するよう外部に緊密に接触するために用いられる。
【００３２】
前記電子測距装置を更なる改善として、前記Ｏ字型シールリング２０８と前記Ｖ字型シールリング２０７とはゴム材質である。
【００３３】
留意すべきは、本発明の実施例は好ましい実施形態を有し、本発明を如何なる形式で制限するものではなく、当業者は上記に開示の技術的内容と同等の変化である等価の実施形態を変更または修飾することができる。本発明の技術的解決手段内容から逸脱せず、本発明の実質的技術に基づいて上記の実施形態を如何に修正、同等の変化と修飾は、依然として本発明の技術的解決手段の保護範囲に属する。
【符号の説明】
【００３４】
１０１    測距ヘッド
１０２    ホルダーハウジング
１０３    連結軸
１０４    軸受
１０５    Ｖ字型ゴムリング
２０１    測距ユニット
２０２    支持アーム
２０３    横軸
２０４    ハウジング
２０５    軸受
２０６    隆起台
２０７    Ｖ字型シールリング
２０７１  第１の側壁
２０７２  第２の側壁
２０８    Ｏ字型シールリング
２０９    対物レンズ
２１０    粗放照準器
２１１    ターンテーブル
２１２    ホスト
【図１】
0003232726.tif 000003
【図２】
0003232726.tif 000004
【図３】
0003232726.tif 000005